(57)【特許請求の範囲】
【請求項１】
固定本体（１１０）、
少なくとも一つのセンサを有し、前記固定本体（１１０）に対して軸方向及び回転方向に移動可能である軸（１２０）、及び
トランス
を備えた動力工具（１００）であって、
前記動力工具（１００）が、
・前記本体（１１０）に対して固定され、一つ又は複数の固定子巻線（２１６）を有する固定子（２１０）と
・前記軸（１２０）と共に移動可能であり、一つ又は複数の回転子巻線（２２６）を有する回転子（２２０）と
を備え、それにより、
磁界Ｂが、前記一つ又は複数の固定子巻線（２１６）及び前記一つ又は複数の回転子巻線（２２６）によってシェアされ、かつ、前記本体（１１０）と前記軸の前記少なくとも一つのセンサとの間の非接触信号接続を生成するために用いられる
動力工具（１００）において、
・前記固定子（２１０）が、実質的に均一の外径を有する実質的に筒状の形態を有し、かつ、第一の長さ（２１４）の第一部分と、第二の長さ（２１２−２１４）の第二部分とを有し、前記第一部分が前記第二部分より短く、第一部分が、第二部分の内径（２１５）より小さい内径（２１３）を有し、
・前記回転子（２２０）が、実質的に均一の内径を有する実質的に筒状の形態を有し、かつ、第一の長さ（２２２−２２４）の第一部分と、第二の長さ（２２４）の第二部分とを有し、前記第一部分が前記第二部分より長く、第一部分が、回転子の第二部分の外径（２２５）より小さく、かつ、固定子（２１０）の第二部分の内径（２１５）より小さい外径（２２３）を有し、
・回転子（２２０）が、固定子（２１０）の中に配置され、
回転子（２２０）の第一部分の位置が、固定子（２１０）の第二部分の内側に達し、
固定子（２１０）の前記第二部分と、回転子（２２０）の前記第一部分との間にエアポケット（２３３）が形成され、
前記エアポケット（２３３）内で、固定子（２１０）の第二部分の一部が、所定の長さ（Ｌａｉｒ）隔てて、回転子（２２０）の第一部分に面するようにし、
・固定子巻線（２１６）が、固定子（２１０）の第一部分の近くの固定子（２１０）の第二部分に沿って配置され、
回転子巻線（２２６）が、回転子（２２０）の第二部分の近くの回転子（２２０）の第一部分に沿って配置され、
固定子巻線（２１６）及び回転子巻線（２２６）がオーバーラップしないようにし、
・前記固定子（２１０）及び前記回転子（２２０）の少なくとも一つに、前記固定子（２１０）と前記回転子（２２０）との間の漏れ磁束を低減させる遮蔽手段（２１７，２２７）を少なくとも部分的に配置し、
前記遮蔽手段（２１７，２２７）が、長さ（Ｌａｉｒ）の前記エアポケット（２３３）の固定子巻線（２１６）と回転子巻線（２２６）との間の部分に亘って前記固定子（２１０）及び前記回転子（２２０）の一方に配置される
ことを特徴とする動力工具。
【請求項２】
第一遮蔽手段（２１７）が前記固定子（２１０）上に配置され、
第二遮蔽手段（２２７）が前記回転子（２２０）上に配置され、
両方の遮蔽手段（２１７，２２７）が、長さ（Ｌａｉｒ）の前記エアポケット（２３３）の固定子巻線（２１６）と回転子巻線（２２６）との間の部分に亘って配置される
請求項１に記載の動力工具（１００）。
【請求項３】
前記磁界Ｂが、
・前記固定子（２１０）から前記回転子（２２０）への励起信号及び
・前記回転子（２２０）から前記固定子（２１０）へのセンサ信号を
伝達し、
前記センサ信号が前記励起信号に基づく励起の結果に基づいている
請求項１又は２に記載の動力工具。
【請求項４】
前記軸（１２０）が、少なくとも一つの超音波センサを有し、
前記励起信号が超音波信号である
請求項３に記載の動力工具。
【請求項５】
前記超音波センサが、動力工具によってクランプされる部分に及ぼされる締め付け荷重に比例するセンサ信号を提供するよう配置されている
請求項４に記載の動力工具。
【請求項６】
前記励起信号が、動力工具（１００）によって締め具上に及ぼされるトルクに比例する信号である
請求項３に記載の動力工具。
【請求項７】
前記動力工具（１００）が締め具組立工具である
請求項１〜６の何れか一項に記載の動力工具。
【発明の詳細な説明】
【技術分野】
【０００１】
本発明は、請求項１の前文に定義されたトランスに関する。
【０００２】
また、本発明は、請求項１８の前文に定義された非接触信号接続を提供する方法に関する。
【背景技術】
【０００３】
締め具を締め付けるように構成された、例えば、ナットランナーのような締結工具のような動力工具では、締結工具によって締め付けられる時に、例えば、ナットのようなネジ付き締め具によって、ジョイントに加えられるクランプ力を決めることができるようにすることが重要である。通常、締め具に加えられるトルクのトルク値及び対応する角度値が、このクランプ力を推定するために利用される。
【０００４】
ジョイントに加えられるトルクは、ここでは、締結工具の減速ギヤ装置内で発生する反作用トルクとして測定され、それは、締め付け動作中に締め具が締結工具に及ぼすトルクに対応する。締め具が高速で締め付けられている時には測定精度が低いので、前記反作用トルクは、締め具に加えられる動トルクを完全に反映するものではない。
【０００５】
従って、測定中の動的応答の悪さの影響を除去する別の解決手段が好ましい。一つの解決手段は、出力軸上に直接設けた一つ又は複数のセンサを利用することにある。
【０００６】
この解決手段のためには、前記したような測定を実行できるようにするために、使用中に回転する締結工具の軸に設けられた一つ又は複数のセンサへの励磁信号及びセンサからのセンサ信号が、締結工具の軸と本体との間で接続される必要がある。これらのセンサ信号は、励磁信号に基づいている励起に起因する。励起信号は、例えば、トルク励起信号又は超音波励起信号であり得る。
【０００７】
一つのこのような信号接続による解決手段は、トルクの測定時に軸と本体との間の信号を接続するためにスリップリングを利用する。しかし、スリップリングの使用は、例えば、しばらくの間、使用した後に、摩擦摩耗によって、スリップリングが摩滅する危険がある。また、ストップリングの使用は、軸に対する最高許容回転速度を制限し得る。
【０００８】
従って、センサ信号の非接触式伝達がより好ましい。これは、回転トランスを使用することによって達成され得る。回転トランスは、特に、相互に回転する二つの部材の間の信号を接続するように構成されたトランスである。回転トランスは、通常、相互に物理的に接続していない分離した第一及び第二の部分に、各々第一及び第二の巻線を有する。第一及び第二巻線間の相互インダクタンス結合エネルギを用いることによって、磁束が、第一及び第二の部分の接続を提供する。このような回転トランスは、欧州特許0 502 748号に簡潔に説明されている。ここでは、歪みゲージがメインスピンドル上、言い換えれば軸上に直接適用され、歪みゲージの出力信号が、回転トランスによって提供される。回転トランスは、メインスピンドルに設けられた第一コイルと、工具のハウジングに設けられた第二コイルとを有する。
【０００９】
しかし、締め付けられるべきジョイントに対して固定された本体／ハウジングを有する締結工具におけるトルク測定に用いられる公知の回転トランスは、固定された工具の軸と本体との間のそれらの電磁結合が、締め具を締め付ける時に影響を及ぼすという問題がある。従って、締め具が何回も回転させられ、それによって、締め具がネジ山を下方に移動した後、回転トランスの信号接続は失われる。印加トルクの測定及びクランプ力の決定に影響するので、信号接続が失われることは非常に危険である。これによって、不十分なクランプ力がジョイントに与えられる場合がある。これは、ジョイントの信頼性に深刻な影響を与え、ジョイントにダメージを与えることになり得る。
【先行技術文献】
【特許文献】
【００１０】
【特許文献１】欧州特許0 502 748号公報
【発明の概要】
【００１１】
本発明の目的は、上記した問題を解決するトランス及び方法を提供することにある。
【００１２】
本発明は、従来技術において公知のトランス及び方法より柔軟性のあるトランス及び方法を提供することを目的としている。
【００１３】
この目的は、請求項１の特徴部分に従った上述のトランスによって達成される。
【００１４】
また、この目的は、請求項１８の特徴部分に従った方法によって達成される。
【００１５】
本発明によるトランス及び方法は、トランスによって非接触信号接続が提供され、かつ、非接触信号接続が締結工具の軸の回転及び軸線方向運動の両方を操作し得ることを特徴とする。この柔軟性のある信号接続は、締め具がねじ山を下方に移動する時に非接触センサ信号接続を提供し、トランスの固定子及び回転子の幾何学的構造によって達成される。従って、固定子及び回転子は、相互に幾何学的関係を有するように形成され、励起信号及びセンサ信号の伝達に影響を及ぼすことなく、軸が軸線方向に動くことを可能にする。
【００１６】
その結果、工具本体に対する軸のあらゆる動きの間、その信号接続を無傷に維持する信頼性のあるトランスが提供される。その結果、その工具は、軸の軸線方向の動きが原因で信号接続が失われる危険なしに、工具の固定を含む多くの状況で柔軟性をもって使用され得る。それにより、より強固なクランプ力が提供される。
【００１７】
本発明の一実施例によれば、相互の幾何学的関係は、固定子の少なくとも一部と回転子の少なくとも一部との間の幾何学的関係を含み、この幾何学的関係は、軸の回転運動及び軸線方向運動の両方の間、本質的に変えられない。
【００１８】
本発明の一実施例によれば、この幾何学的関係は、固定子の少なくとも一部と回転子の少なくとも一部との間の相互距離によって決められる。従って、トランスの使用中、軸が回転している時にも、そして、例えば、ナットのような締め具の締め付けのために軸が軸線方向に動いている時にも、固定子と回転子との間の距離は不変である。それにより、トランスの信号接続は、例えば、締結組立工具の軸のあらゆる動きに対して信頼性のあるものになり、かつ、柔軟性のあるものになる。
【００１９】
本発明の一実施例によれば、固定子は一つのリム内面を有するように形成され、回転子は一つのリム外面を持つように形成される。これらリム表面は、軸の軸線方向の動きを可能にし、かつ、この軸線方向の動きの間、変わらない幾何学的関係を一緒に形成し、それにより、信号接続が信頼性を持って提供される。
【００２０】
本発明の一実施例によれば、固定子及び回転子の少なくとも一方が、少なくとも部分的に遮蔽される。ここでは、遮蔽手段は、固定子と回転子との間のエアポケットの範囲を定める少なくとも一つの壁の少なくとも一部に適用される。これにより、エアポケットからの漏れ磁束が非常に減らされ、トランスの作用が改善される。
【００２１】
本発明の一実施例によれば、トランスは、超音波センサのための励起信号及びセンサ信号を伝達するために用いられる。
【００２２】
超音波センサのため、本質的に、超音波センサと締め具との間の接触が失われない。従って、本発明により信号接続を失うことなく軸の軸線方向の動きを可能にするので、本発明は、超音波センサの使用には特に適用可能である。
【００２３】
本発明によるトランス及び方法の幾つかの実施例及び利点は、幾つかの好ましい実施例を記載した添付図面を参照して以下に説明される。
【図面の簡単な説明】
【００２４】
【図１】締結工具を示している。
【図２ａ】本発明による固定子を示している。
【図２ｂ】本発明による回転子を示している。
【図２ｃ】本発明に従って組み合わされた固定子及び回転子を示している。
【発明を実施するための形態】
【００２５】
図１は、締結工具１００を概略的に示している。この図面では、本発明の機能のために必要となる部分だけが示されている。ハンドル、動力供給ケーブル又はバッテリ、電気モータ、ギヤ装置及び締め具を保持するソケットのような締結工具１００の他の特徴も、当業者によって理解されるように、締結工具１００には含まれる。
【００２６】
締結工具１００は、本体１１０と、本体１１０に対して移動可能である軸／スピンドル１２０とを有する。使用中、軸１２０は、例えば、ナットのような締め具を締め付ける時に、本体１１０に対して回転運動を実行する。また、工具１００はトランス１３０を有し、該トランス１３０は、締結工具１００の軸１２０と本体１１０との間のセンサ信号接続を提供する。従って、軸１２０に設けられたセンサが、トランス１３０によって本体１１０から軸１２０に送られるトルク励起信号や超音波励起信号のような励起信号を受ける。より詳細には、本体１１０内に設けられた制御ユニットがトランス１３０に接続されている。制御ユニットは、トランス１３０に励起信号を供給する。また、制御ユニットは、工具１００の外側にあってもよく、本体及び／又はトランス１３０に、ケーブルや無線接続のような適当な接続手段によって接続されてもよい。
【００２７】
トランス１３０は、また、軸１２０からのセンサトルク信号を本体１１０に伝達する。トランス１３０は、また、軸１２０に設けられた一つ又は複数のセンサに接続される。従って、工具の本体１１０に設けられた制御ユニットは、センサベースによって提供されるセンサトルク信号を、トランス１３０を介して受ける。これらのセンサトルク信号は、励起信号に基づいている。
【００２８】
本発明によれば、トランス１３０は固定子及び回転子を備え、前記固定子は締結工具１００の本体の内部に固定され、前記回転子は軸１２０によって移動可能である。従って、軸１２０が回転する時、回転子は、それと共に回転する。
【００２９】
本発明による固定子２１０及び回転子２２０が、図２ａ及び図２ｂに各々示されている。本発明による固定子２１０及び回転子２２０は、組み合わされた時に、それらが、それらの間で幾何学的関係を持つように配置され、軸２１０が本体１１０に対して回転運動を実行した時でも、軸１２０が本体１１０に対して軸線方向運動を実行した時でも、非接触信号接続が提供されることを可能にする。従って、固定子２１０及び回転子２２０は、相互に幾何学的関係を有し、即ち、軸１２０の軸線方向運動が発生した時でも、完全な信号接続を維持するような使用中の相互の関係及び形態を各々有する。このことは、図２ａ〜図２ｃを参照して以下により詳細に説明される。
【００３０】
固定子２１０は、本質的に筒状の形態であり、本質的に固定子２１０の全長に対して等しい外径２１１を有する。さらに、固定子２１０は、第一の長さ２１４を有する固定子の第一部分に対する第一の内径２１３と、固定子の第二部分に対する第二の内径２１５とを有し、第一の内径２１３は第二の内径２１５より小さい。言い換えれば、固定子２１０は、本質的に筒状であり、一つの段を有し、即ち、固定子２１０の第二部分の第二の内径２１５より小さい第一の内径２１３を有する第一部分を備えている。言い換えれば、固定子２１０は一つのリムを含む内面を有する。
【００３１】
また、回転子２２０は、回転子２２０の全長２２２に亘って本質的に等しい内径２２１を持った本質的に筒状の形態を有する。回転子２２０は、さらに、固定子の第一部分に対する第一の外径２２３と、第二の長さ２２４を有する回転子の第二部分に対する第二の外径２２５とを有し、第一の外径２２３は第二の外径２２５より小さい。従って、回転子２２０は、本質的に、一つの段部を有する外表面を備えた筒状体であり、即ち、固定子２１０の第二部分の第二の外径２２５より小さい第一の外径２２３を持つ第一部分を有する。言い換えれば、回転子２２０は、一つのリムを含む外面を有する。
【００３２】
また、回転子２２０の第一の外径２２３は、固定子の第一の内径２１３より小さく、回転子２２０の第二の外径２２５は、固定子の第二の内径２１５より小さい。従って、回転子２２０は、固定子２１０の中に挿入され得る。固定子２１０及び回転子２２０がこのように組み合わせられた時、即ち、回転子が固定子の中に挿入された時、回転子及び固定子の第一部分の間、及び回転子及び固定子の第二部分の間の各々に、エアギャップが形成される。従って、各々、第一及び第二の距離／幅２３１，２３２を有するエアギャップは、以下に説明するように、回転子２２０の第二（大きい方）の外径２２５と固定子２２０の第二（大きい方）の内径２１５とによって、かつ、回転子２２０の第一（小さい方）の外径２２３と固定子２１０の第一（小さい方）の内径２１３とによって径方向に各々制限される。
【００３３】
図２ｃは、使用中の固定子２１０の一部及び回転子２２０の一部の概略長手方向断面図を示している。即ち、図２ｃにおいて、固定子２１０と回転子２２０とは、回転子２２０が固定子２１０の中に挿入されるように組み立てられている。図２ｃに明確に示すように、固定子２１０の一つの段／リムを有する内面と、回転子２２０の一つの段／リムを有する外面とが一緒に、回転子２１０と固定子２２０との間の相互の幾何学的関係を形成している。従って、固定子２１０の第一の内径２１３及び第二の内径２１５と、回転子２２０の第一の外径２２３及第二の外径２２５が、一緒に、この相互の幾何学的関係を形成している。固定子２１０の第一の内径２１３及び第二の内径２１５と、回転子２２０の第一の外径２２３及び第二の外径２２５とが一緒に、固定子２１０及び回転子２２０の第一及び第二部分の間の第一の相互距離２３１及び第二の相互距離２３２を各々形成している。また、図２ｃは、一つ又は複数の固定子巻線２１６及び一つ又は複数の回転子巻線２２６を示している。
【００３４】
本発明の実施例によれば、相互の幾何学的関係は、固定子２１０及び回転子２２０の間のこれらの第一の相互距離２３１及び第二の相互距離２３２の少なくとも一つを含む。従って、幾何学的関係は、固定子２１０の少なくとも一部分と、回転子２２０の少なくとも一部分との間に形成される。この相互の幾何学的関係は、本質的に、軸１２０が回転方向に動いた時も、軸線方向Ａに所定の距離Ｌまで動いた時も変わらない。
【００３５】
第一相互距離２３１及び第二相互距離２３２が、固定子２１０及び回転子２２０が相互に回転した時に変わらないことが明らかであることは、図２ｃから容易に理解することができる。また、第一相互距離２３１及び第二相互距離２３２が、固定子２１０及び回転子２２０が相互に軸線方向Ａに動いても、移動距離が所定の長さＬより短い限りは、変わらないことも明らかに示されている。従って、距離Ｌは、固定子の第一部分の長さ２１４及び回転子の第二部分の長さ２２４に依存している。図２ｃに示されているように、第一及び第二相互距離２３１，２３２は、固定子の第一長さ２１４及び回転子の第二長さ２２４の短い方に対応する軸線方向の長さに達するまで、変えられずに維持される。図２ｃに示した非限定的実施例では、固定子の第一長さ２１４が回転子の第二長さ２２４より短いので、長さＬは、固定子の第一長さ２１４に対応している。
【００３６】
本発明の一実施例によれば、所定の長さＬは、最小長さＬｍｉｎより大きい。従って、固定子の第一長さ２１４及び回転子の第二長さ２２４の短い方は、最小長さＬminより長い。
【００３７】
実施例によれば、最小長さLｍｉｎは、継ぎ手を締め付けるために締め付けられる締付具の長さに対応する。典型的には、ネジ又はボルトをしっかり締め付けることができるように、最小長さＬｍｉｎは、工具によって締め付けるべきねじ又はボルトのねじ山の長さに対応する。
【００３８】
一実施例によれば、最小長さＬｍｉｎは、回転トランスの軸線方向長さに関連する。従って、最小長さＬｍｉｎは、固定子２１０の全長２１２又は回転子２２０の全長２２２に関連する。言い換えれば、固定子の第一部分の第一の長さ２１４は固定子２１０の全長２１２に関連し、回転子２２０の第二部分の第二の長さ２２４は、回転子２２０の全長２２２に関連する。
【００３９】
より詳細には、一実施例によれば、最小長さＬｍｉｎは、固定子２１０の全長２１２の３０％〜６０％、好ましくは、４５％〜５０％に対応し、及び／又は回転子２２０の全長２２２の３０％〜６０％、好ましくは４５％〜５０％に対応する。従って、固定子の第一の長さ２１４が、回転子の第二の長さ２２４より短い場合には、固定子の第一の長さ２１４は、固定子の全長２１２の３０％〜６０％、好ましくは４５％〜５０％である。それに応じて、固定子の第二部分の第二の長さ２２４が、固定子の第一部分の第一の長さ２１４より短い場合には、回転子の第二部分の第二の長さ２２４は、回転子２２０の全長２２２の３０％〜６０％、好ましくは、４５％〜５０％になる。言い換えれば、固定子２１０の内面及び回転子２２０の外面のリムは、各々、固定子及び回転子の全長２１２，２２２の３０〜６０％、好ましくは、４５％〜５０％に配置されている。固定子２１０の一つの段／リム付き内面及び回転子２２０の一つの段／リム付き外面は、一緒に、固定子２１０及び回転子２２０間の相互幾何学的関係を形成する。
【００４０】
非接触信号接続の遮断なしに締め具が完全に締め付けられ得るように、最小長さＬｍｉｎは、典型的には、数センチメートルから数十センチメートルであり得、即ち、１〜２０センチメートル、好ましくは３〜１５センチメートルであり得る。
【００４１】
固定子２１０と回転子２２０とを組み合わせた時に、固定子２１０と回転子２２０との間にエアポケット２３３が形成される。エアポケット２３３の軸線方向の長さＬａｉｒは、固定子の第一部分の第一の長さ２１４及び回転子の第二の長さ２２４によって、即ち、固定子２１０及び回転子２２０の各々の段／リムによって軸線方向に制限される。本発明の一実施例によれば、エアポケット長Ｌａｉｒは、固定子の全長２１２の５〜１０％、好ましくは６〜７％に対応し、及び／又は回転子の全長２２２の５〜１０％、好ましくは６〜７％に対応する。
【００４２】
従って、上述した形態を有し、かつ、一緒に組立てられる固定子２１０及び回転子２２０は、それらの間に形成される相互幾何学的関係をもたらし、固定子巻線２１６と回転子巻線２２６によってシェアされる磁界Ｂが、工具の軸の回転運動及び軸線方向運動の両方の間の接続を提供する非接触信号接続として利用可能になる。例えば、工具が固定的に配置されている状況においては、これは非常に有利である。
【００４３】
固定子巻線２１６は、固定子の第二部分の内側に配置され、回転子の第一部分の外面に面している。即ち、固定子巻線２１６は、固定子２１０の第二内径２１５上に配置されている。回転子巻線２２６は、回転子の第一部分の外側に配置され、固定子の第二部分の内側に面している。即ち、回転子巻線２２６は、回転子２２０の第一外径２２３上に配置されている。
【００４４】
従って、固定子巻線２１６及び回転子巻き線２２６は、それらが固定子２１０及び回転子２２０の間に形成されたエアポケット２３３に面するように配置されている。エアポケット２２３は、ここでは、回転子２２０の第一（小さい方）の外径２２３及び固定子２１０の第二（大きい方）の内径２１５によって径方向に制限されている。
【００４５】
ここでは、磁界Ｂは、固定子巻線２１６と回転子巻線２２６との間の相互インダクタンス結合エネルギを用いて固定子２１０と回転子２２０との間の接続を提供する。従って、固定子巻線２１６に印加される電気エネルギが、本質的に直ちに、回転巻線２２６に伝達されることになる。それに応じて、回転子巻線２２６に印加される電気エネルギは、本質的に直ちに、固定子巻線２１６に伝達されることになる。
【００４６】
これにより、固定子２１０と回転子２２０との間に、及びそれによって動力工具１００の本体１１０と軸１２０に配置された少なくとも一つのセンサとの間にも非接触信号接続が生み出される。この信号接続は、固定子２１０から回転子２２０への励起信号の伝達及び回転子２２０から固定子２１０へのセンサ信号の伝達に用いられる。
【００４７】
これにより、軸１２０に配置された少なくとも一つのセンサが、軸がナットのような締め具に及ぼすトルクに関連するセンサ信号、例えば、トルクに比例するセンサ信号を提供し得、それは、トランスを介して工具の本体と関わり合う。制御ユニットは、工具の本体内又は工具の外部に設けられ得る。また、制御ユニットは、トランスによって伝達される信号を受信するように配置される。
【００４８】
本発明の一実施例によれば、第一相互距離２３１及び第二相互距離２３２の少なくとも一方が、固定子２１０と回転子２２０との間にエアギャップを形成する。従って、ここでは、幾何学的関係は、固定子２１０の少なくとも一部と回転子２２０の少なくとも一部との間のエアギャップ間隔によって構成される。これらのエアギャップ２３１，２３２の幅は、上述したように、一定であり、言い換えれば、軸１２０の回転方向Ｒ及び軸線方向Ａの動きの間、不変である。
【００４９】
上述したように、一実施例によれば、少なくとも一つの超音波センサが軸上に配置されている。ここでは、一つ又はそれ以上の超音波センサは、トランス２００によって軸１２０に供される励起信号によって励起される。この少なくとも一つの超音波センサは圧電素子を含み得、外部に存在する物(the external entity)と接触していなければならず、外部に存在する物の歪み、従って、与えられたクランプ力を検出できるようにするために軸が例えば締め具と係合する。従って、超音波センサが、センサと外部に存在する物との間の接触が失われないように使用されることが非常に重要である。従って、非接触信号接続の性能が軸１２０の軸線方向の動きの間も保証されるので、本発明は、超音波センサが用いられる時に使用するのに非常に有利である。
【００５０】
本発明の一実施例によれば、少なくとも一つの遮蔽手段２１７，２２７が、固定子２１０及び回転子２２０の少なくとも一方に設けられる。この少なくとも一つの遮蔽手段２１７及び２２７は、固定子２１０と回転子２２０との間に形成される上述したエアポケット２３３を区切る少なくとも一つの壁に設けられる。好ましくは、少なくとも一つの遮蔽手段２１７及び２２７は、一つ又は複数の回転子２２０の第一の外径２２３及び固定子２１０の第二内径２１５に配置される。
【００５１】
トランス２００では、必要な磁束は、固定子２１０と回転子２２０との間の第一及び第二相互距離２３１及び２３２から成るエアギャップを通過する磁束である。しかし、一般的には、固定子２１０と回転子２２０との間のエアフローポケット２３３を通過する漏れ磁束が存在する。本発明のこの実施例によれば、一つ又は複数の固定子２１０及び回転子２２０を遮蔽することによって、この望まれない漏れ磁束は低減され、それが、より効果的なトランスの働きをもたらすので、有利である。
【００５２】
本発明の一実施例によれば、遮蔽手段２１７及び２２７は、銅のような金属又は適当な遮蔽特性を有する他の金属で形成される。
【００５３】
本発明の一つの特徴によれば、工具１００のために非接触信号接続を提供する方法が提示される。工具１００は、上述したように、本体１１０及び軸１２０を有し、軸１２０は本体１１０に対して移動可能である。本体１１０に対して固定された固定子２１０と、軸１２０と共に移動可能である回転子２２０とを備え、固定子２１０及び回転子２２０の両方が一つ又は複数の巻線２１６及び２２６を含むトランス１３０及び２００が利用される。これらの巻線によってシェアされている磁界Ｂが、本体１１０と軸１２０の少なくとも一つのセンサとの間に非接触信号接続を生み出すために用いられる。本発明の方法によれば、固定子２１０及び回転子２２０の形状及び相互の組み合わせによって、固定子２１０と回転子２２０との間に相互の幾何学的関係が形成され、軸１２０の異なる軸線方向及び回転方向の動きの両方に対して非接触接続が完全なまま維持されるようになる。
【００５４】
本発明によるトランス及び方法は、当業者によって、上述した典型的な実施例から変更することができる。
【００５５】
当業者には明らかなように、上述した典型的な実施例には、複数の他の実施形態、改良、バリエーション及び／又は追加があり得る。本発明が、このような、請求項に記載の発明の範囲に含まれる他の実施形態、改良、バリエーション及び／又は追加の全てを含むことは理解される。
【図１】
0006029663.tif 000002
【図２ａ】
0006029663.tif 000003
【図２ｂ】
0006029663.tif 000004
【図２ｃ】
0006029663.tif 000005